(57)【要約】【課題】下地が透けないような厚さ寸法を確保しつつ、鋭い角を形成することが可能となり、建物の内装に用いられた際の外観性に優れる内装用シートを提供することを目的とする。【解決手段】建物の内装に用いられる内装用シート１において、所定の最大厚さ寸法を有するシート本体２と、このシート本体２の裏側に設けられ、横方向に交互に連続する突条部３および溝部４とを備えており、前記シート本体２は、溝部４の長さ方向に沿って設けられ、シート本体２の最大厚さ寸法に対して最も薄い厚さ寸法となる折曲部２ａを備えている。これにより、シート本体を折曲部を中心にして折り曲げることができるとともに、下地が透けないような厚さ寸法を確保することができる。【選択図】図１
2008214898.tif 000002
【特許請求の範囲】
【請求項１】
建物の内装に用いられる内装用シートにおいて、
所定の最大厚さ寸法を有するシート本体と、このシート本体の裏側に設けられ、横方向に交互に連続する突条部および溝部とを備えており、
前記シート本体は、前記溝部を断面略Ｖ字状に形成することによって、この溝部の長さ方向に沿って設けられ、かつシート本体の最大厚さ寸法に対して最も薄い厚さ寸法となる折曲部を備えていることを特徴とする内装用シート。
【請求項２】
請求項１に記載の内装用シートにおいて、
前記折曲部の厚さ寸法は、０．２ｍｍ以下であることを特徴とする内装用シート。
【請求項３】
請求項１または２に記載の内装用シートにおいて、
前記突条部は、前記シート本体の表面に平行して平らに形成された頂部と、この頂部の両側に設けられる一対の傾斜面とを備えており、
これら一対の傾斜面のうち、一方の傾斜面には、この一方の傾斜面から突出する山部が設けられ、他方の傾斜面には、前記山部に嵌合する谷部が設けられていることを特徴とする内装用シート。
【請求項４】
請求項３に記載の内装用シートにおいて、
前記山部の頂面は、前記谷部の底面よりも大きく形成されていることを特徴とする内装用シート。
【請求項５】
請求項１〜４のいずれか一項に記載の内装用シートにおいて、
前記シート本体と突条部および溝部とは、樹脂またはセルロース系微粉粒と樹脂との混合材料から一体成形されていることを特徴とする内装用シート。
【発明の詳細な説明】
【技術分野】
【０００１】
本発明は、建物の内装に用いられる内装用シートに関する。
【背景技術】
【０００２】
従来、天井や壁、柱、梁等の建物の内装は、クロス等の内装用シートを利用してその表面を仕上げており、この内装用シートは、天井や壁の内装下地材の表面に接着剤で貼り付けられる（例えば、特許文献１参照）。
また、近年住宅のリフォームが盛んになってきている。これまでのリフォーム方法としては、内装下地材を含めて室内の内装用シートを除去し、壁の表面を平坦にした後、新たな内装用シートを貼り付けることが主流であった。一方、施工の合理化を目的として、内装下地材や元から貼ってある内装用シートをそのまま残して、その上に新しい内装用シートを貼り付ける方法も提案されている。
【特許文献１】特開平１１−０３００１８号公報
【発明の開示】
【発明が解決しようとする課題】
【０００３】
ところで、上述のように新しい内装用シートを貼り付ける際において、この内装用シートの厚さ寸法が薄いと、内装下地材や元の内装用シートの模様やデザインが透けて見えてしまう場合がある。このため、比較的厚みのある内装用シートを貼り付けて、元の内装用シートの模様が透けないような工夫がなされる。
ところが、このように厚みのある内装用シートを、壁や柱、梁等に形成されたコーナーに貼り付けると、内装用シート自体の厚みによって角が丸まってしまったり、内装下地材に対して十分に接着できずに膨らんでしまったり等の問題が生じる場合がある。
【０００４】
本発明の課題は、下地が透けないような厚さ寸法を確保しつつ、鋭い角を形成することが可能となり、建物の内装に用いられた際の外観性に優れる内装用シートを提供することを目的とする。
【課題を解決するための手段】
【０００５】
請求項１に記載の発明は、例えば図１〜図４に示すように、建物の内装に用いられる内装用シート１において、
所定の最大厚さ寸法を有するシート本体２と、このシート本体２の裏側に設けられ、横方向に交互に連続する突条部３および溝部４とを備えており、
前記シート本体２は、前記溝部４を断面略Ｖ字状に形成することによって、この溝部４の長さ方向に沿って設けられ、かつシート本体２の最大厚さ寸法に対して最も薄い厚さ寸法となる折曲部２ａを備えていることを特徴とする。
【０００６】
請求項１に記載の発明によれば、前記シート本体２は、前記溝部４を断面略Ｖ字状に形成することによって、この溝部４の長さ方向に沿って設けられ、かつシート本体２の最大厚さ寸法に対して最も薄い厚さ寸法となる折曲部２ａを備えているので、前記シート本体２は、この折曲部２ａを中心にして折り曲げることができる。そして、このようにシート本体２は、最大厚さ寸法に対して最も薄い厚さ寸法の折曲部２ａを中心にして折り曲げられるので、例えば最大厚さ寸法の部分を折り曲げた場合に比して、鋭い角を確実に形成することができる。
その上、前記シート本体２は、所定の最大厚さ寸法を有するとともに、シート本体２の裏側に前記突条部３を備えており、下地が透けないような厚さ寸法を確保することができるので、下地が透けないような厚さ寸法を確保しつつ、鋭い角を形成することが可能となり、建物の内装に用いられた際の外観性に優れる。
【０００７】
請求項２に記載の発明は、例えば図１に示すように、請求項１に記載の内装用シート１において、
前記折曲部２ａの厚さ寸法は、０．２ｍｍ以下であることを特徴とする。
【０００８】
請求項２に記載の発明によれば、前記折曲部２ａの厚さ寸法は、０．２ｍｍ以下であることから、この折曲部２ａを中心にしてシート本体２を折り曲げることによって、鋭い角をより確実に形成することができる。
【０００９】
請求項３に記載の発明は、例えば図１〜図４に示すように、請求項１または２に記載の内装用シート１において、
前記突条部３は、前記シート本体２の表面に平行して平らに形成された頂部５と、この頂部５の両側に設けられる一対の傾斜面６，７とを備えており、
これら一対の傾斜面６，７のうち、一方の傾斜面６には、この一方の傾斜面６から突出する山部６ａが設けられ、他方の傾斜面７には、前記山部６ａに嵌合する谷部７ａが設けられていることを特徴とする。
【００１０】
請求項３に記載の発明によれば、前記突条部３は、前記頂部５の両側に設けられる一対の傾斜面６，７を備えているので、これら一対の傾斜面６，７は前記溝部４を構成するものとなる。したがって、前記折曲部２ａを中心にしてシート本体２を折り曲げることによって、前記一方の傾斜面６から突出する山部６ａと、前記他方の傾斜面７に設けられた谷部７ａとを嵌合させることができるので、前記シート本体２が折り曲げられ、鋭い角を形成した状態がずれないように確実に維持することができる。
また、前記頂部５は、シート本体２の表面に平行して平らに形成されているので、シート本体２を壁や柱、梁等の下地に対して安定的に貼り付けることができる。
【００１１】
請求項４に記載の発明は、例えば図３および図４に示すように、請求項３に記載の内装用シート１において、
前記山部６ａの頂面６ｂは、前記谷部７ａの底面７ｂよりも大きく形成されていることを特徴とする。
【００１２】
請求項４に記載の発明によれば、前記山部６ａの頂面６ｂは、前記谷部７ａの底面７ｂよりも大きく形成されているので、これら山部６ａの頂面６ｂと谷部７ａの底面７ｂとが嵌合した際に、これら山部６ａの頂面６ｂと谷部７ａの底面７ｂとの間に隙間が形成されることとなり、この隙間を、シート本体２を壁や柱、梁等の下地に貼り付ける際に使用する接着剤のための接着層として確保することができる。これによって、前記シート本体２が折り曲げられ、鋭い角を形成した状態がずれないように、より確実に維持することができる。
【００１３】
請求項５に記載の発明は、例えば図１〜図４に示すように、請求項１〜４のいずれか一項に記載の内装用シート１において、
前記シート本体２と突条部３および溝部４とは、樹脂またはセルロース系微粉粒と樹脂との混合材料から一体成形されていることを特徴とする。
【００１４】
請求項５に記載の発明によれば、前記シート本体２と突条部３および溝部４とは、樹脂またはセルロース系微粉粒と樹脂との混合材料から一体成形されているので、押出成形等により簡単に得られ、耐久性および耐水性等に優れる。
また、表面に適宜の模様、例えば木目模様などを容易に形成することができ、装飾性の面でも優れている。特に、前記シート本体２と突条部３および溝部４が、セルロース系微粉粒と樹脂との混合材料から一体成形されていた場合、これらシート本体２と突条部３および溝部４の表面に木粉があらわれて天然の木材により近い手触りや風合いを出すことができるので、木質感を出すことができる。
【発明の効果】
【００１５】
本発明によれば、所定の最大厚さ寸法を有するシート本体と、このシート本体の裏側に設けられ、横方向に交互に連続する突条部および溝部とを備えており、シート本体は、溝部を断面略Ｖ字状に形成することによって、この溝部の長さ方向に沿って設けられ、かつシート本体の最大厚さ寸法に対して最も薄い厚さ寸法となる折曲部を備えているので、シート本体は、この折曲部を中心にして折り曲げることができる。そして、このようにシート本体は、最大厚さ寸法に対して最も薄い厚さ寸法の折曲部を中心にして折り曲げられるので、例えば最大厚さ寸法の部分を折り曲げた場合に比して、鋭い角を確実に形成することができる。
その上、シート本体は、所定の最大厚さ寸法を有するとともに、シート本体の裏側に突条部を備えており、下地が透けないような厚さ寸法を確保することができるので、下地が透けないような厚さ寸法を確保しつつ、鋭い角を形成することが可能となり、建物の内装に用いられた際の外観性に優れる。
【発明を実施するための最良の形態】
【００１６】
以下、図面を参照して本発明の実施の形態について説明する。
【００１７】
本実施の形態の内装用シート１は、図１〜図４に示すように、建物の内装に用いられるものであり、所定の最大厚さ寸法を有するシート本体２と、このシート本体２の裏側に設けられ、横方向に交互に連続する突条部３および溝部４とを備えており、前記シート本体２は、前記溝部４を断面略Ｖ字状に形成することによって、この溝部４の長さ方向に沿って設けられ、かつシート本体２の最大厚さ寸法に対して最も薄い厚さ寸法となる折曲部２ａを備えている。
【００１８】
なお、本実施の形態の内装用シート１は、建物内の壁や柱、梁をはじめ、天井やサッシ枠周りなどの内装の際に用いられるものであり、特に、これら壁や柱、梁等に形成されたコーナー部分１０に貼設されるものである。また、この内装用シート１を壁や柱、梁等の下地に貼り付ける際は接着剤が使用される。
【００１９】
前記シート本体２は、図１および図２に示すように、所定の最大厚さ寸法を有するものであり、この厚さ寸法内において、前記突条部３および溝部４が形成されている。すなわち、本実施の形態の内装用シート１の最大厚さ寸法は、シート本体２の厚さ寸法と同一のものであり、この最大厚さ寸法と前記折曲部２ａの厚さ寸法との差が、前記突条部３の突出高さであるとともに、前記溝部４の深さ寸法である。
【００２０】
このシート本体２は、樹脂またはセルロース系微粉粒と樹脂との混合材料からなり、前記突条部３および溝部４と一体成形されている。このように樹脂またはセルロース系微粉粒と樹脂との混合材料から一体成形されているので、押出成形等により簡単に得られ、耐久性および耐水性等に優れる。また、表面に適宜の模様、例えば木目模様などを容易に形成することができ、装飾性の面でも優れている。
特に、前記シート本体２と突条部３および溝部４が、セルロース系微粉粒と樹脂との混合材料から一体成形されていた場合、これらシート本体２と突条部３および溝部４の表面に木粉があらわれて天然の木材により近い手触りや風合いを出すことができるので、木質感を出すことができる。
また、本実施の形態のシート本体２は軟質であることが好ましく、特にコーナー部分１０に当接すべき折曲部２ａは可撓性を有している。
【００２１】
なお、本実施の形態のシート本体２の最大厚さ寸法は１．２ｍｍとするが、これに限定されるものではない。すなわち、前記折曲部２ａの厚さ寸法が定まっていれば、最大厚さ寸法が例えば３ｍｍであっても、また５ｍｍであっても鋭い角を出すことができるようになっている。
そして、このようにシート本体２の厚さ寸法が厚く形成されると、一定の強度を有することになるので、壁や柱、梁等の下地の表面に生じる凹凸を拾うことがなく、仕上げられた内装用シート１の表面の外観性に優れる。
【００２２】
前記突条部３は、図１〜図４に示すように、前記シート本体２の表面に平行して平らに形成された頂部５と、この頂部５の両側に設けられる一対の傾斜面６，７とを備えている。つまり、これら一対の傾斜面６，７は前記溝部４を構成するものともなる。
そして、これら一対の傾斜面６，７のうち、一方の傾斜面６には、この一方の傾斜面６から突出する山部６ａが設けられ、他方の傾斜面７には、前記山部６ａに嵌合する谷部７ａが設けられている。
【００２３】
これによれば、前記折曲部２ａを中心にしてシート本体２を折り曲げることによって、前記一方の傾斜面６から突出する山部６ａと、前記他方の傾斜面７に設けられた谷部７ａとを嵌合させることができるので、シート本体２が折り曲げられ、鋭い角を形成した状態がずれないように確実に維持することができるようになっている。
また、前記頂部５は、シート本体２の表面に平行して平らに形成されているので、シート本体２を壁や柱、梁等の下地に対して安定的に貼り付けることができる。
【００２４】
さらに、前記一方の傾斜面６に設けられた山部６ａは、一つの台形の突条体８が一方の傾斜面６から突出することによって設けられており、前記他方の傾斜面７に設けられた谷部７ａは、二つの台形の突条体９，９が他方の傾斜面７から突出することによって、これら二つの台形の突条体９，９間に設けられている。
【００２５】
そして、図３および図４に示すように、前記山部６ａの頂面６ｂは、前記谷部７ａの底面７ｂよりも大きく形成されており、これら山部６ａの頂面６ｂと谷部７ａの底面７ｂとが嵌合した際に、これら山部６ａの頂面６ｂと谷部７ａの底面７ｂとの間に隙間が形成されることとなる。
したがって、この隙間を、シート本体２を壁や柱、梁等の下地に貼り付ける際に使用する接着剤のための接着層として確保することができる。これによって、シート本体２が折り曲げられ、鋭い角を形成した状態がずれないように、より確実に維持することが可能となっている。
【００２６】
前記溝部４は、上述したように前記突条部３を構成する一対の傾斜面６，７によって、断面略Ｖ字状となるように形成されており、これら一対の傾斜面６，７には、前記山部６ａおよび谷部７ａが設けられている。そして、この溝部４のＶ字の最底部付近に位置するのが前記折曲部２ａとなっている。
【００２７】
なお、隣り合う溝部４同士の間隔は、前記突条部３の形状によって異なる。すなわち、本実施の形態であれば、前記シート本体２が上述のような構造に形成されることによって、鋭い角を出すことが可能としているが、例えば突条部３および溝部４の双方が直角三角形状であった場合は、本実施の形態の溝部４同士の間隔よりも短い間隔で形成することができるので、本発明の趣旨を逸脱しない範囲で適宜変更可能である。
【００２８】
また、前記一対の傾斜面６，７は、図１に示すように、途中から折曲部２ａに向かって傾斜角度が緩くなるように形成されており、前記折曲部２ａ付近の溝部４の最底部が、より鈍角となるように形成されている。すなわち、これら一対の傾斜面６，７は段階的に角度が変わっているので、前記シート本体２が、折曲部２ａを中心にして折り曲げられる際も、図４に示すように、角度が変わっている部分を境にして段階的に折り曲げられることとなり、折り曲げやすくなっている。
【００２９】
なお、前記突条部３および溝部４は、前記シート本体２の全体わたって形成されていても良く、一部分に形成されているだけでも良い。すなわち、コーナー部分１０に用いるものだけ、またはシート本体２のコーナー部分１０に当接する部分だけに前記突条部３および溝部４を設けるようにして、壁の平面に貼り付けられるシートには、前記突条部３および溝部４は設けなくても良いものとする。例えば、前記突条部３および溝部４を、シート本体２の全体にわたって形成すると、シート本体２の材積を大幅に減少させることができる。
【００３０】
前記折曲部２ａは、図１に示すように、その厚さ寸法が、０．２ｍｍ以下となっており、この折曲部２ａを中心にしてシート本体２を折り曲げることによって、鋭い角を確実に形成することが可能となっている。しかも、図１中の一点鎖線は折線であり、この折線を挟むようにして前記一対の傾斜面６，７が当接し合うようにシート本体２を折り曲げるだけで、鋭い角を容易に形成することができる。
【００３１】
そして、以上のような本実施の形態の内装用シート１は、図３および図４に示すように、壁や柱、梁等の下地に対して、前記溝部４や、一方の傾斜面６と他方の傾斜面７との間に隙間が生じることとなる。上述したように、この内装用シート１を壁や柱、梁等の下地に貼り付ける際は接着剤が使用されるので、この隙間には接着剤が充填されることとなる。これによって、本実施の形態の内装用シート１と下地との間に、より多くの接着剤を充填することができるので、内装用シート１を確実かつ強固に貼り付けることが可能となっている。
【００３２】
なお、本実施の形態の内装用シート１によって形成される鋭い角は、例えばＲ０．５ｍｍ以下であり、前記シート本体２の最大厚さ寸法以下の鋭い角を形成できるようになっている。
【００３３】
本実施の形態によれば、所定の最大厚さ寸法を有するシート本体２と、このシート本体２の裏側に設けられ、横方向に交互に連続する突条部３および溝部４とを備えており、このシート本体２は、前記溝部４の長さ方向に沿って設けられ、シート本体２の最大厚さ寸法に対して最も薄い厚さ寸法となる折曲部２ａを備えているので、シート本体２は、この折曲部２ａを中心にして折り曲げることができる。そして、このようにシート本体２は、最大厚さ寸法に対して最も薄い厚さ寸法の折曲部２ａを中心にして折り曲げられるので、例えば最大厚さ寸法の部分を折り曲げた場合に比して、鋭い角を確実に形成することができる。
その上、シート本体２は、所定の最大厚さ寸法を有するとともに、シート本体２の裏側に突条部３を備えており、下地が透けないような厚さ寸法を確保することができるので、下地が透けないような厚さ寸法を確保しつつ、鋭い角を形成することが可能となり、建物の内装に用いられた際の外観性に優れる。
【図面の簡単な説明】
【００３４】
【図１】本発明の実施の形態に係る内装用シートを示す拡大断面図である。
【図２】交互に連続する突条部および溝部を示す断面図である。
【図３】図１の内装用シートをコーナー部分に貼り付けた状態を示す断面図である。
【図４】図３の内装用シートの角を示す拡大断面図である。
【符号の説明】
【００３５】
１  内装用シート
２  シート本体
２ａ  折曲部
３  突条部
４  溝部
【図１】
2008214898.tif 000003
【図２】
2008214898.tif 000004
【図３】
2008214898.tif 000005
【図４】
2008214898.tif 000006